(57)【要約】ゲノム情報を人の嗜好、生活習慣、または生活環境にフィードバックして、人の健康をサポートできるシステムおよび方法を提供する。そこで、保険契約者Ａ１は、ゲノム特約付き生命保険の契約に基づいて自己のゲノムサンプルを生命保険会社Ｂに提出する。このゲノムサンプルはゲノム診断会社Ｄにより解析され、ゲノム情報が作成される。ゲノム診断／健康サポート会社Ｃのサーバ４は、ゲノム情報およびＤＢ５の情報に基づいて、契約者の健康をサポートするアドバイスおよび提出データ名を求め、これらを生命保険会社Ｂのサーバ２を介して契約者Ａ１の端末１に送信する。契約者Ａ１は、データ名に対応するデータを定期的に計測し、端末１からサーバ２を介してサーバ４に送信する。サーバ４は、このデータおよびＤＢ５に記憶された情報に基づいてさらにアドバイスを求め、サーバ２を介して端末１に送信する。
2004086274.tif 000002
【特許請求の範囲】
【請求項１】
健康情報提供サービスの契約者のゲノム情報に基づいて、該契約者の健康に関する情報を提供する健康情報提供システムであって、
前記契約者のゲノム情報を入力する入力手段と、
前記入力手段により入力された前記ゲノム情報に基づいて、前記契約者の健康に関する第１健康情報を求め、前記契約者に提供する第１健康情報提供手段と、
を備える健康情報提供システム。
【請求項２】
請求の範囲第１項において、
前記ゲノム情報に基づいて、前記契約者に提出させるデータの種類を求め、前記契約者に指定するデータ指定手段と、
前記データ指定手段による指定に従って前記契約者から提出されたデータに基づいて、前記契約者の健康に関する第２健康情報を求め、前記契約者に提供する第２健康情報提供手段と、
をさらに備える健康情報提供システム。
【請求項３】
健康情報提供サービスの契約者のゲノム情報に基づいて、該契約者の健康に関する情報を提供する健康情報提供システムによる健康情報提供方法であって、
前記健康情報提供システムが備える入力手段により前記契約者のゲノム情報を入力するステップと、
前記入力されたゲノム情報に基づいて、前記契約者の健康に関する第１健康情報を求め、前記契約者に提供するステップと、
を備える健康情報提供方法。
【請求項４】
健康情報の提供を受ける健康情報提供サービスに加入した契約者により使用されるクライアントと、健康サポート機関により使用される第１サーバと、該健康情報提供サービスの運営機関により使用される第２サーバとがネットワークを介して接続され、
前記第１サーバは、
前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、前記契約者が前記データの種類に基づき提出したデータに対応する第２健康情報が、前記遺伝子種別毎に格納される第２健康情報テーブルとを有しており、
前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を前記第２サーバに送信し、前記契約者が提出したデータが与えられると、前記第２健康情報テーブルを参照して、前記契約者が保有する前記遺伝子種別に対応付けられた前記第２健康情報を前記第２サーバに送信し、
前記第２サーバは、
前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報を有しており、
前記第１サーバから送信された前記第１健康情報、前記データの種類、および前記第２健康情報を前記クライアントに転送すると共に前記契約者情報を更新し、かつ、前記クライアントから送信される前記契約者により提出されたデータを前記第１サーバに転送すると共に前記契約者情報を更新し、
前記クライアントは、
前記第２サーバから転送された前記第１健康情報、前記データの種類、および前記第２健康情報を受信して前記契約者に提示し、かつ、前記契約者が提出するデータを前記第２サーバに送信することを特徴とする健康情報提供システム。
【請求項５】
請求の範囲第４項において、
前記第２サーバは、更に、前記クライアントから送信される前記契約者により提出されたデータに基づいて、前記契約者の健康状態をチェックすることを特徴とする健康情報提供システム。
【請求項６】
請求の範囲第５項において、
前記第２サーバは、前記契約者に前記健康情報提供サービスのサービス料を課金すると共に、前記健康状態のチェック結果に基づいて該課金料を変動させることを特徴とする健康情報提供システム。
【請求項７】
請求の範囲第４項において、
前記運営機関は、生命保険会社であり、前記健康情報提供サービスは、該生命保険会社の生命保険商品の特約として提供されるサービスであることを特徴とする健康情報提供システム。
【請求項８】
健康情報提供サービスの契約者に該サービスを提供するサーバと、前記契約者により使用されるクライアントとがネットワークを介して接続され、
前記サーバは、
前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、前記契約者が前記データの種類に基づき提出したデータに対応する第２健康情報が、前記遺伝子種別毎に格納される第２健康情報テーブルと、前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報とを有しており、
前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を前記クライアントに送信すると共に前記契約者情報を更新し、前記契約者が提出したデータが与えられると、前記第２健康情報テーブルを参照して、前記契約者が保有する前記遺伝子種別に対応付けられた前記第２健康情報を前記クライアントに送信すると共に前記契約者情報を更新し、
前記クライアントは、
前記サーバから転送された前記第１健康情報、前記データの種類、および前記第２健康情報を受信して前記契約者に提示し、かつ、前記契約者が提出するデータを前記サーバに送信することを特徴とする健康情報提供システム。
【請求項９】
請求の範囲第４項または第８項において、
前記クライアントは、前記契約者が提出するデータが入力される度に該データを前記第２サーバに送信することで、継続的に前記第２健康情報を受信することを特徴とする健康情報提供システム。
【請求項１０】
請求の範囲第４項または第８項において、
前記第１及び第２健康情報は、前記契約者の健康または健康維持をサポートするアドバイスであることを特徴とする健康情報提供システム。
【請求項１１】
請求の範囲第４項または第８項において、
前記第１及び第２健康情報は、前記契約者の嗜好、生活習慣、および生活環境の少なくとも１つに関するアドバイスであることを特徴とする健康情報提供システム。
【請求項１２】
請求の範囲第４項または第８項において、
前記第１健康情報には、前記所定の遺伝子種別を保有する前記契約者が罹る可能性の高い疾患を特定する可能性疾患情報が含まれることを特徴とする健康情報提供システム。
【請求項１３】
健康情報の提供を受ける健康情報提供サービスに加入した契約者により使用されるクライアントと、前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、前記契約者が前記データの種類に基づき提出したデータに対応する第２健康情報が、前記遺伝子種別毎に格納される第２健康情報テーブルとを有し、ゲノム診断／健康サポート機関により使用される第１サーバと、前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報を有し、該健康情報提供サービスの運営機関により使用される第２サーバとを有し、前記クライアントと前記第１サーバと前記第２サーバとがネットワークを介して接続された健康情報提供システムにおける健康情報提供方法であって、
前記第１サーバにおいて、前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を前記第２サーバに送信するステップと、
前記第２サーバにおいて、前記第１サーバから送信された前記第１健康情報、前記データの種類を前記クライアントに転送すると共に前記契約者情報を更新するステップと、
前記クライアントにおいて、前記第２サーバから転送された前記第１健康情報および前記データの種類を受信し、前記契約者に提示するステップと、
前記クライアントにおいて、前記契約者が提出するデータを前記第２サーバに送信するステップと、
前記第２サーバにおいて、前記前記クライアントから送信される前記契約者により提出されたデータを前記第１サーバに転送すると共に前記契約者情報を更新するステップと、
前記第１サーバにおいて、前記契約者が提出したデータが与えられると、前記第２健康情報テーブルを参照して、前記契約者が保有する前記遺伝子種別に対応付けられた前記第２健康情報を前記第２サーバに送信するステップと、
前記第２サーバにおいて、前記第１サーバから送信された前記第２健康情報を前記クライアントに転送すると共に前記契約者情報を更新するステップと、
前記クライアントにおいて、前記第２サーバから転送された前記第２健康情報を受信して前記契約者に提示するステップを含むことを特徴とする健康情報提供方法。
【請求項１４】
健康情報の提供を受ける健康情報提供サービスに加入した契約者により使用されるクライアントと、前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、前記契約者が前記データの種類に基づき提出したデータに対応する第２健康情報が、前記遺伝子種別毎に格納される第２健康情報テーブルと、前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報とを有し、前記健康情報提供サービスの契約者に該サービスを提供するサーバとを有し、前記クライアントと前記サーバとがネットワークを介して接続された健康情報提供システムによる健康情報提供方法であって、
前記サーバにおいて、前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を前記クライアントに送信すると共に前記契約者情報を更新するステップと、
前記クライアントにおいて、前記サーバから転送された前記第１健康情報および前記データの種類を受信して前記契約者に提示するステップと、
前記クライアントにおいて、前記契約者が提出するデータを前記サーバに送信するステップと、
前記サーバにおいて、前記契約者が提出したデータが与えられると、前記第２健康情報テーブルを参照して、前記契約者が保有する前記遺伝子種別に対応付けられた前記第２健康情報を前記クライアントに送信すると共に前記契約者情報を更新するステップと、
前記クライアントにおいて、前記サーバから転送された前記第２健康情報を受信して前記契約者に提示するステップとを含むことを特徴とする健康情報提供方法。
【請求項１５】
健康情報提供サービスの契約者に該サービスを提供するサポートサーバであって、
前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、
前記契約者が前記データの種類に基づき提出したデータに対応する第２健康情報が、前記遺伝子種別毎に格納される第２健康情報テーブルと、
前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を送信する第１健康提供手段と、
前記契約者が提出したデータが与えられると、前記第２健康情報テーブルを参照して、前記契約者が保有する前記遺伝子種別に対応付けられた前記第２健康情報を送信する第２健康提供手段とを有することを特徴とするサポートサーバ。
【請求項１６】
健康情報提供サービスの契約者に提供される該サービスを、サポートサーバと協働して運営するサーバであって、
前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報と、
前記サポートサーバから送信された前記第１健康情報および前記データの種類を前記契約者により使用されるクライアントに転送すると共に前記契約者情報を更新する第１転送手段と、
前記クライアントから送信される前記契約者により提出されたデータを前記サポートサーバに転送すると共に前記契約者情報を更新する第２転送手段と、
前記サポートサーバから送信された前記第２健康情報を前記クライアントに転送すると共に前記契約者情報を更新する第３転送手段とを有することを特徴とするサーバ。
【発明の詳細な説明】
【技術分野】  本発明は、ゲノム情報を使用した健康情報提供システムおよび方法に関し、具体的には、健康情報提供サービスの契約者から提出されたゲノムサンプルから解析されたゲノム情報に基づいて、該契約者の健康または健康維持をサポートする情報を該契約者に提供する健康情報提供システムおよび方法に関する。
【背景技術】  近年のヒトゲノムの解析の進展に伴い、様々な疾病の原因遺伝子が解明され、遺伝子と疾患との関係が明らかにされつつある。また、ヒト遺伝子多型と疾患との関連も明らかになりつつある。これにより、これまで体質と言われていた概念が、遺伝子レベルで理解されるようになってきた。このように、遺伝性疾患、体質といった先天性の疾患傾向を遺伝子レベルで予測ないし予知することが可能となってきている。
さらに、個人の嗜好、生活習慣、および生活環境が、個人の遺伝子多型で規定される体質と組み合わされ、疾患の罹りやすさに影響を及ぼしている事実が明らかとなってきた。すなわち、ある特定の遺伝子多型の人について、ある特定の疾患に罹りやすい嗜好、生活習慣、または生活環境が存在することが判明してきた。
ところで、従来および現在の生命保険は、余命は万人に平等にあり、疾病への罹患率も万人平等であるとして取り扱っており、生命保険の加入時点での年齢、すなわち余命の多少で保険料率が算定されている。言い換えれば、寿命、罹患率等は平等主義に基づいている。生命保険会社は、このような考えの上に立って、益（利差益、比差益、死差益）を計算し成り立っている。
このような生命保険が関連した従来の技術としては、生命保険契約者が、健康情報として脈、血圧、体温等を健康管理センターに送信し、健康管理センターが該健康情報に基づいて適切な健康のアドバイスを行う在宅健康管理付き生命保険がある（例えば特許文献１参照）。
また、遺伝子が関連した従来の技術としては、運営機関（保険団体）が個人の遺伝子情報を検査し、当該個人の遺伝子情報を含まず、当該遺伝子情報と当該個人の病歴情報とが対応して記録された遺伝子情報ファイルを作成し、この遺伝子情報ファイル内の遺伝子情報および病歴情報を、運営機関が医療、薬品等の開発団体等に提供して、所定の遺伝子のための商品開発や医療技術の開発に利用する遺伝子検査データ活用方法がある（例えば特許文献２参照）。
【特許文献１】  特開２００１−３５７１３９号公報
【特許文献２】  特開２００１−２５６３０５号公報
【発明の開示】
上述した、ある特定の遺伝子多型の人について、ある特定の疾患に罹りやすい嗜好、生活習慣、または生活環境が存在するということは、逆に言えば、そのような特定の遺伝子多型の人は嗜好、生活習慣、または生活環境を変えることにより、特定の疾患に対する罹患率を下げることができることを意味する。このことは、ゲノム解析の結果（すなわちゲノム情報）を人の嗜好、生活習慣、および／または生活環境にフィードバックすることにより、人の健康または健康維持をサポートできることを意味する。
本発明は、第１に、この点に着目してなされたものであり、ゲノム情報を人の嗜好、生活習慣、および／または生活環境にフィードバックすることにより、人の健康または健康維持をサポートできるシステムおよび方法を提供することを目的とする。
また一方で、ゲノム情報と生命保険等との関係においては、ゲノム情報により、各人の特定の疾患への罹りやすさ／罹りにくさが判定されるようになると、生命保険会社側から見れば、疾患に罹りやすいと判定された人は加入してほしくないと考えるであろうし、疾患に罹りにくいと判定される人の加入は歓迎するであろうとも考えることもできる。
しかし、保険契約者側から見れば、疾患に罹りやすいと判定された人は将来の不安を減らすべく生命保険への加入を強く希望するようになるし、反対に罹りにくいと判定された人は加入する必要性が低いと考えるであろう。
したがって、本発明は、第２に、ゲノム情報により、ある特定の疾患に罹りやすいと判定された人を生命保険等へ受け入れることができるシステムを提供することを目的とする。
前記目的を達成するために、本発明の第１の側面による健康情報提供システムは、健康情報提供サービスの契約者のゲノム情報に基づいて、該契約者の健康に関する情報を提供する健康情報提供システムであって、前記契約者のゲノム情報を入力する入力手段と、前記入力手段により入力された前記ゲノム情報に基づいて、前記契約者の健康に関する第１健康情報を求め、前記契約者に提供する第１健康情報提供手段と、を備える。
本発明の第１の側面によると、入力手段により、健康情報提供サービスの契約者のゲノム情報等が入力される。該入力されたゲノム情報に基づいて、前記契約者の健康に関する第１健康情報が求められ、前記契約者に提供される。
本発明の第１の側面によると、ゲノム情報に基づく第１健康情報により、契約者の嗜好、生活習慣、および／または生活環境に関するアドバイスを提供することにより、契約者の健康または健康維持をサポートすることできる。また、ゲノム情報により、ある特定の疾患にかかりやすいと判定された場合には、疾患に罹りにくくする健康情報を提供し、生活指導を行うことにより、健康の維持をサポートすることができる。さらに、各契約者のゲノム情報に基づいて、各契約者に適した健康情報を提供できるので、各契約者の罹患率を下げさせ、契約者が健康であることおよび医療費に負担軽減による利益のみならず、医療保険機関が支払っていたであろう医療費を軽減することもできる。
好ましくは、本発明の第１の側面による健康情報提供システムは、前記ゲノム情報等に基づいて、前記契約者に提出させるデータの種類を求め、前記契約者に指定するデータ指定手段と、前記データ指定手段による指定に従って前記契約者から提出されたデータに基づいて、前記契約者の健康に関する第２健康情報を求め、前記契約者に提供する第２健康情報提供手段と、をさらに備える。
これにより、第２健康情報によっても、契約者の健康または健康維持をサポートすることできるので、各契約者の罹患率を下げさせ、契約者が健康であることおよび医療費に負担軽減による利益のみならず、医療保険機関が支払っていたであろう医療費を軽減することもできる。
本発明の第２の側面による健康情報提供システムは、健康情報提供サービスの契約者に該サービスを提供するサーバと、前記契約者により使用されるクライアントとを有する健康情報提供システムであって、前記サーバは、前記契約者のゲノム情報に基づいて、該契約者の健康に関する第１健康情報を求めて前記クライアントに送信し、前記クライアントは、前記サーバから送信された前記第１健康情報を受信し、前記契約者に提示するものである。
本発明の第２の側面によると、前記サーバにおいて、前記契約者のゲノム情報に基づいて、該契約者の健康に関する第１健康情報が求められ、該第１健康情報が前記クライアントに送信される。前記クライアントにおいて、前記サーバから送信された前記第１健康情報が受信され、前記契約者に提示される。
本発明の第２の側面によっても、前記第１の側面と同様の作用効果を得ることができる。
好ましくは、本発明の第２の側面において、前記サーバは、さらに、前記契約者のゲノム情報に基づいて、該契約者に提出させるデータの種類を求めて前記クライアントに送信し、かつ、前記クライアントから送信された前記データの種類に対応するデータに基づいて、該契約者の健康に関する第２健康情報を求めて前記クライアントに送信し、前記クライアントは、さらに、前記サーバから送信された前記データの種類および前記第２健康情報を受信して前記契約者に提示し、かつ、前記データの種類に対応するデータを前記サーバに送信する。
本発明の第３の側面による健康情報提供システムは、ゲノム診断／健康サポート機関により使用される第１サーバと、健康情報提供サービスの運営機関により使用される第２サーバと、前記健康情報提供サービスの契約者により使用されるクライアントとを有する健康情報提供システムであって、前記第１サーバは、前記契約者のゲノム情報に基づいて、該契約者の健康に関する第１健康情報および該契約者に提出させるデータの種類を求め、該第１健康情報および該データの種類を前記第２サーバに送信し、かつ、前記クライアントから前記２サーバを介して送信された前記データの種類に対応するデータに基づいて、該契約者の健康に関する第２健康情報を求め、該第２健康情報を前記第２サーバに送信し、前記第２サーバは、前記第１サーバから送信された前記第１健康情報、前記データの種類、および前記第２健康情報を前記クライアントに転送し、かつ、前記クライアントからの前記データの種類に対応するデータを前記第１サーバに転送すると共に、少なくとも、前記クライアントからの前記データの種類に対応するデータに基づいて、前記契約者の健康状態をチェックし、前記クライアントは、前記第２サーバから転送された前記第１健康情報、前記データの種類、および前記第２健康情報を受信し、前記契約者に提示し、かつ、前記データの種類に対応するデータを前記第２サーバに送信するものである。
本発明の第３の側面によると、前記第１サーバにおいて、前記契約者のゲノム情報等に基づいて、該契約者の健康に関する第１健康情報および該契約者に提出させるデータの種類が求められ、該第１健康情報および該データの種類が前記第２サーバに送信される。前記第２サーバにおいて、前記第１サーバから送信された前記第１健康情報および前記データの種類が前記クライアントに転送される。前記クライアントにおいて、前記第２サーバから転送された前記第１健康情報および前記データの種類が受信され、前記契約者に提示される。前記クライアントにおいて、前記データの種類に対応するデータが前記第２サーバに送信される。前記第２サーバにおいて、前記クライアントからの前記データの種類に対応するデータが前記第１サーバに転送される。前記第２サーバにおいて、少なくとも、前記クライアントからの前記データの種類に対応するデータに基づいて、前記契約者の健康状態がチェックされる。前記第１サーバにおいて、前記クライアントから前記第２サーバを介して送信された前記データに基づいて、該契約者の健康に関する第２健康情報が求められ、該第２健康情報が前記第２サーバに送信される。前記第２サーバにおいて、前記第１サーバから送信された前記第２健康情報が前記クライアントに転送される。前記クライアントにおいて、前記第２サーバから転送された前記第２健康情報が受信され、前記契約者に提示される。
本発明の第３の側面によっても、前記第１の側面と同様の作用効果を得ることができる。さらに、本発明の第３の側面によると、運営機関（例えば生命保険機関ないし生命保険会社）が提供する生命保険等の特約として該健康情報提供サービスを提供することによって、契約者の健康維持が図られる結果、契約者に支払われる保険金というコストが削減でき、運営機関の利益にもなる。もしくは予め、「このレベルまで健康になれば保険金額、あるいは保険料額を段階的に上げましょう、または下げましょう」とする、逓増、あるいは逓減タイプの保険契約にすれば、契約者、保険会社双方の利益につながる。もちろん、契約者および医療保険機関も健康が維持されることにより、上記第１の側面で説明した利益を得ることができる。これにより、ある特定の疾患に罹りやすいと判定された人を生命保険等へ受け入れることができる。
本発明の第４の側面によるサーバは、健康情報提供サービスの契約者に該サービスを提供するサーバであって、前記契約者のゲノム情報等を入力または受信する入力／受信手段と、前記入力／受信手段により入力または受信されたゲノム情報等に基づいて、該契約者の健康に関する第１健康情報を求め、第１健康情報を、前記契約者により使用されるクライアントに直接送信するか、または、前記健康情報提供サービスの運営サーバを介して前記クライアントに送信する第１健康情報提供手段と、を備える。
また、本発明の第５の側面によるサーバは、健康情報提供サービスの契約者に提供される該サービスを運営するサーバであって、前記契約者のゲノム情報に基づいて該契約者の健康に関する第１健康情報および該契約者に提出させるデータの種類を求めるサポートサーバから送信された前記第１健康情報および前記データの種類を、前記契約者に使用されるクライアントに転送する第１転送手段と、前記クライアントから送信された、前記データの種類に対応するデータを前記サポートサーバに転送する第２転送手段と、前記データの種類に対応するデータに基づいて前記サポートサーバにより求められた前記契約者の健康に関する第２健康情報を前記クライアントに転送する第３転送手段と、少なくとも、前記クライアントからの前記データに基づいて、前記契約者の健康状態をチェックするチェック手段と、を備える。
また、本発明の第６の側面によれば、健康情報の提供を受ける健康情報提供サービスに加入した契約者により使用されるクライアントと、健康サポート機関により使用される第１サーバと、該健康情報提供サービスの運営機関により使用される第２サーバとがネットワークを介して接続され、前記第１サーバは、前記健康情報提供サービスの契約者のうち、所定の遺伝子を保有する契約者を対象とする第１健康情報および前記遺伝子種別を保有する前記契約者に定期的に提出させるデータの種類が、遺伝子の種別毎に対応付けられた第１健康情報テーブルと、前記契約者が前記データの種類に基づき提出したデータに対応する第２健康情報が、前記遺伝子種別毎に格納される第２健康情報テーブルとを有しており、前記契約者が保有する前記遺伝子種別を特定するゲノム情報が与えられると、前記第１健康情報テーブルを参照して、前記契約者が保有する前記遺伝子種別に対応付けられた前記第１健康情報および前記データの種類を前記第２サーバに送信し、前記契約者が提出したデータが与えられると、前記第２健康情報テーブルを参照して、前記契約者が保有する前記遺伝子種別に対応付けられた前記第２健康情報を前記第２サーバに送信し、前記第２サーバは、前記健康情報提供サービスの契約者毎に、前記契約者を特定する情報を含む契約者リスト、前記遺伝子種別を含むゲノム情報、前記第１および前記第２健康情報、前記定期的に提出させるデータの種類、そして前記契約者が提出したデータが関連付けられ格納される契約者情報を有しており、前記第１サーバから送信された前記第１健康情報、前記データの種類、および前記第２健康情報を前記クライアントに転送すると共に前記契約者情報を更新し、かつ、前記クライアントから送信される前記契約者により提出されたデータを前記第１サーバに転送すると共に前記契約者情報を更新し、前記クライアントは、前記第２サーバから転送された前記第１健康情報、前記データの種類、および前記第２健康情報を受信して前記契約者に提示し、かつ、前記契約者が提出するデータを前記第２サーバに送信するものである。
また好ましくは、前記第２サーバは、更に、前記クライアントから送信される前記契約者により提出されたデータに基づいて、前記契約者の健康状態をチェックする。また好ましくは、前記第２サーバは、前記契約者に前記健康情報提供サービスのサービス料を課金すると共に、前記健康状態のチェック結果に基づいて該課金料を変動させる。また好ましくは、前記運営機関は、生命保険会社であり、前記健康情報提供サービスは、該生命保険会社の生命保険商品の特約として提供されるサービスである。こうして、契約者は、自己の健康状態を知ることができると共に、体質改善により健康になることで保険料の逓減、保険金の逓増といったメリットを享受することができる。保険会社は、契約者に健康情報を提供することで、契約者の健康状態の改善機会を与えることで、保険金支払いリスクを長期的に低減することができる。また契約者の健康状態に関係なく、加入者を広く募ることができるといったメリットがある。
また好ましくは、前記第１健康情報には、前記所定の遺伝子種別を保有する前記契約者が罹る可能性の高い疾患を特定する可能性疾患情報が含まれる。こうして、契約者は自分が罹患の可能性の高い疾患名を把握することができ、常日頃から意識して効果的にその予防に取り組むことができる。
【図面の簡単な説明】  図１は、本発明の実施の形態によるゲノム情報を使用した健康情報提供システムの全体構成を示すブロック図である。
図２は、ゲノム特約付き保険の契約締結から健康情報提供サービスの提供までの一連の処理の流れを示すシーケンス図である。
図３は、生命保険会社のＤＢに作成・登録される契約者情報の一例を示す。
図４は、ゲノム診断会社により作成されるゲノム情報の一例を示す。
図５は、初回アドバイス情報テーブルの一例を示す。
図６は、定期アドバイス情報テーブルの一例を示す。
図７は、疾患テーブルの一例を示す。
図８は、変形例における処理を説明するフローチャートである。
【発明を実施するための最良の形態】  以下、本発明の実施の形態について図面に従って説明する。しかしながら、本発明の技術的範囲はかかる実施の形態に限定されるものではなく、特許請求の範囲に記載された発明とその均等物にまで及ぶものである。
図１は、本発明の実施の形態によるゲノム情報を使用した健康情報提供システムの全体構成を示すブロック図である。
この健康情報提供システムは、保険契約者Ａ１が使用する端末（クライアント）１、運営機関の一例としての生命保険会社Ｂに設けられたサーバ２およびデータベース（ＤＢ）３、ゲノム診断／健康サポート会社Ｃに設けられたサーバ４およびＤＢ５、ならびにゲノム診断会社Ｄに設けられた端末６を有する。
これらの端末１および６ならびにサーバ２および４は、通信ネットワーク７に接続され、相互に通信可能である。通信ネットワーク７は、例えばインターネットである。サーバ２および４ならびに端末６は、各会社内の構内網（ＬＡＮ、イントラネット等）を介して通信ネットワーク７に接続されてもよい。また、端末１は、パソコンであってもよいし、携帯電話機であってもよく、携帯電話機の場合には、端末１は移動通信網を介して通信ネットワーク７に接続されることとなる。なお、通信ネットワーク７を介して通信される情報には、ゲノム情報等が含まれるので、通信される情報は、セキュリティの観点から暗号化されることが好ましい。
保険契約者Ａ１は、生命保険会社Ｂの提供する生命保険商品のうち、後述するゲノム特約付き保険を契約する者である。ここでは、一例として、保険契約者Ａ１のみを示しているが、保険契約者は複数いてもよい。
生命保険会社Ｂは、顧客に生命保険商品を提供し、契約に基づいて保険料を徴収し、あるいは、保険料の受取人に保険料を支払うことを業とする企業である。本実施の形態では、生命保険会社Ｂが提供する生命保険商品に、ゲノム特約付き保険が含まれる。この「ゲノム特約」は、保険契約者が、保険契約後、ゲノム診断を受け、契約者個人の過去の病歴（既往歴）と現在までの通常の健康診断結果、及びゲノム診断結果に基づく健康情報（健康サポート情報、アドバイス情報）の提供を受けることができるサービス（健康情報提供サービス）を、通常の生命保険に付加する契約である。例えば商品の内容としては、逓増定期特約、逓増終身特約、もしくは、保険料逓減タイプ、または保険料割戻し金付き、無病息災ボーナス特約（仮）などを付けると、契約者は保険料を払ってより健康になり、最後は健康な状態で且つボーナス金ももらえるとすれば、契約者にとって一層の励みになることだろう。
ゲノム診断／健康サポート会社Ｃは、生命保険会社Ｂと提携関係にあり、ゲノム特約付き保険に加入した保険契約者のゲノム診断結果およびその後、定期的に保険契約者から提供される情報に基づいて、保険契約者に健康情報を提供する企業である。保険契約者Ａ１から生命保険会社Ｂに支払われる保険料の一部は、ゲノム診断／健康サポート会社Ｃが保険契約者に健康情報を提供する料金として、生命保険会社Ｂからゲノム診断／健康サポート会社Ｃに支払われる。また、ゲノム診断会社Ｄにも、保険料の一部が、ゲノム解析／診断料として、同様に支払われる。
ゲノム診断会社Ｄは、ゲノム診断を専門に行う企業であり、提供されたゲノムサンプル（遺伝子サンプル）を解析し、ゲノムを構成する各遺伝子の診断結果を作成する企業である。
これら企業Ｂ〜Ｃにより保険契約者Ａ１に提供される健康情報提供サービスについて、次に説明する。図２は、ゲノム特約付き保険の契約締結から健康情報提供サービスの提供までの一連の処理の流れを示すシーケンス図である。図中、実線の矢印は、通信ネットワーク７を介した情報の流れを示し、一点鎖線の矢印は、それ以外の契約の締結、郵便、宅配便等による物（ゲノムサンプル）の流れ等を示している。
保険契約者Ａ１と生命保険会社Ｂとの間で、ゲノム特約付き生命保険契約が締結されると、生命保険会社Ｂの担当者は、サーバ２（またはサーバ２に接続される端末）を使用して、ＤＢ３に契約者情報を作成し登録する（Ｓ１）。
なお、ゲノム特約を結ぶことにより、保険契約者Ａ１は、該ゲノム特約無しの生命保険料に、ゲノム特約料を加算した保険料を生命保険会社に支払うこととなる。また、この契約には、生命保険会社Ｂおよび該会社Ｂと提携する他の会社（ゲノム診断／健康サポート会社Ｃ、ゲノム診断会社Ｄ等）が保険契約者Ａ１のゲノム情報、個人情報等を秘密にする守秘義務が含まれていることはいうまでもない。
図３は、生命保険会社ＢのＤＢ３に作成・登録される契約者情報の一例を示している。契約者情報は、契約者リストおよびこのリストにリンクした各契約者の健康情報を有する。契約者リストは、各契約者の識別情報（例えば契約者番号、保険番号等）、氏名、年齢、性別、身長、体重、住所、電話番号等を有する。各契約者リストには、その契約者の健康情報がリンクしている。健康情報には、各契約者のゲノム情報、各契約者に与えられた初回アドバイス（第１健康情報）、第２回目以降のアドバイス（第２健康情報）、定期提出データ名（データの種類）、定期的に提出されたデータの値、各契約者の健康度チェック等が含まれる。生命保険契約時には、契約者情報のうち、契約者リストが作成・登録され、それ以外の健康情報は、ゲノム診断後に作成される。この健康情報に含まれる各情報については後述する。
図２に戻って、一方で、保険契約者Ａ１は、保険契約後、ゲノム特約に基づいて、自己のゲノムサンプルを生命保険会社Ｂに提供する。このゲノムサンプルとしては、例えば血液、毛髪、皮膚、粘膜、分泌物内の細胞組織等を利用することができ、生命保険会社Ｂの担当者に直接渡すこともできるし、郵便、宅配便等により生命保険会社Ｂに送付することもできる。
生命保険会社Ｂは、保険契約者Ａ１からゲノムサンプルの提供を受けると、このゲノムサンプルを、生命保険会社Ｂと提携関係にあるゲノム診断／健康サポート会社Ｃに提供し、ゲノム診断／健康サポート会社Ｃは、ゲノムサンプルをゲノム診断会社Ｄにさらに提供する。なお、生命保険会社Ｂは、ゲノム診断／健康サポート会社Ｃを介することなく、ゲノム診断会社Ｄに直接ゲノムサンプルを渡してもよい。
また、生命保険会社Ｂは、保険契約者Ａ１の契約者リストの一部の情報（例えば年齢、性別、身長、体重等）をゲノム診断／健康サポート会社Ｃに提供する。この契約者リストの一部は、サーバ２から通信ネットワーク７を介してサーバ４に送信され、サーバ４において、後述するように、保険契約者Ａ１に対するアドバイスおよび定期提出データ名を決定するために使用される。この契約者リストの一部の情報、ゲノムサンプル、およびゲノムサンプルに基づくゲノム情報には、これらを対応付けるために、契約者リストに含まれる個人識別情報が付される。ゲノム診断／健康サポート会社Ｃのサーバ４および生命保険会社Ｂのサーバ２は、この個人識別情報により、ゲノムサンプル、ゲノム情報、および保険契約者を相互に対応付けることができるようになっている。
ゲノム診断会社Ｄは、保険契約者Ａ１のゲノムサンプルを解析し、ゲノム情報を作成する。図４は、ゲノム診断会社Ｄにより作成されるゲノム情報の一例を示している。ゲノム情報は、遺伝子種別およびその診断結果のデータ項目を有する。
「遺伝子種別」には、健康に影響する種々の遺伝子が含まれる。例えば、肥満、糖尿病、肝疾患（肝硬変、肝臓がん等）、アルツハイマー病ないし痴呆症、悪性腫瘍、動脈硬化、循環器疾患、心臓疾患、軟骨疾患、骨疾患、喘息、免疫異常、アレルギー、呼吸系疾患、脳卒中、脳血管疾患、造血系疾患、視疾患、アルコール依存症、脱毛等に関係した遺伝子が含まれる。
図４では、遺伝子種別の一例として、β３アドレナリン受容体遺伝子およびアセトアルデヒド脱水化酵素（ＡＬＤＨ２）遺伝子が示されている。「診断結果」は、各遺伝子が正常型であるか、変異型であるかを示す。各遺伝子は２つの遺伝子が対になっているので、対になった２つのそれぞれが正常型か変異型かが示される。双方とも正常型の場合には「正常型／正常型」、一方が正常型であり他方が変異型である場合には「正常型／変異型」、双方とも変異型の場合には「変異型／変異型」となる。この３つのうちの１つが診断結果として書き込まれる。
β３アドレナリン受容体遺伝子は、エネルギー放出に関わり、肥満、糖尿病等に関連する遺伝子である。β３アドレナリン受容体遺伝子を構成するアミノ末端より６４番目のアミノ酸は、正常型ではトリプトファンであるのに対し、変異型ではアルギニンに変異している。
β３アドレナリン受容体には、ノルアドレナリンが結合し、細胞から余分なエネルギーが放出される。この遺伝子が変異することにより、ノルアドレナリンが結合しにくくなる。これにより、エネルギー放出が機能せず、余分なエネルギーが体内に蓄えられ、その結果、肥満、糖尿病を招く。
ＡＬＤＨ２遺伝子は、体内に摂取されたアルコールの分解により生成されるアセトアルデヒドの分解に関連し、肝臓疾患、アルツハイマー病等に関連する遺伝子である。ＡＬＤＨ２遺伝子を構成する所定のアミノ酸は、正常型ではアミノ末端より４８７番目のアミノ酸はグルタミン酸であるのに対し、変異型ではリジンに変異している。
飲酒により体内に摂取されたアルコールは、肝臓で所定の酵素類により酸化され、一旦アセトアルデヒドになる。このアセトアルデヒドが，二日酔いの原因物質であり、反応性の高い毒性物質である。アセトアルデヒドは、肝臓でアルデヒド脱水素酵素（ＡＬＤＨ）により更に酢酸に誘導され、末梢組織においてエネルギーを産生しながら最終的には二酸化炭素と水にまで分解される。アルデヒド脱水素酵素には構成されるタンパク質の配列の違いから数種のアイソザイムが存在し、中でもアセトアルデヒドの酸化にはＡＬＤＨ２が主要な役割を担っている。変異型のＡＬＤＨ２遺伝子を有する者は、肝機能保持の観点から飲酒量を減らす必要があり、肝機能の状態を見ながら飲酒量をコントロールするなどのアドバイスが健康維持に重要となる。
また、これとは別に、アルデヒド脱水素酵素（ＡＬＤＨ）には細胞内でエネルギーを作り出す過程で発生する有害物質「ヒドロキシノネナール」をも分解する活性がある。ヒドロキシノネナールはアルツハイマー病との関連が指摘されており、ＡＬＤＨ２遺伝子に変異のある人では分解が進まないため発症の危険が高まると考えられている。
図２に戻って、このゲノム情報は、個人識別情報と共に、電子データとして、端末６から通信ネットワーク７を介してゲノム診断／健康サポート会社Ｃのサーバ４に送信される。なお、図２においては、契約者の提供するゲノムサンプルをゲノム診断会社Ｄが解析し、解析結果のゲノム情報が、ゲノム診断／健康サポート会社Ｃのサーバ４に送信されるが、保険契約者Ａ１が予めゲノムサンプルを別の第三者機関に分析依頼して、保険契約時に自らのゲノム情報を取得していてもよい。そのゲノム情報は例えば、ＩＣカード等の携帯型蓄積装置に格納されており、端末１に接続されるＩＣカードリーダを介してゲノム診断／健康サポート会社サーバ４に入力されることになる。あるいは、生命保険会社Ｂのサーバ２にＩＣカードリーダが備えられ、訪れた保険契約者の持つＩＣカードからゲノム情報を読み出して、サーバ４に送信することもできる。
サーバ４は、ゲノム情報および個人識別情報を受信すると、受信したゲノム情報と、受信した個人識別情報に対応する保険契約者Ａ１の契約者リストの情報（年齢、性別、身長、体重等の保険会社が通常の契約時に必要とする既往歴、及び健康情報等）とに基づいて、保険契約者Ａ１の初回アドバイス情報を作成する（Ｓ２）。
この初回アドバイス情報は、ゲノム診断／健康サポート会社ＣのＤＢ５に記憶された初回アドバイス情報テーブルを参照して作成される。図５は、初回アドバイス情報テーブルの一例を示している。
初回アドバイス情報テーブルは、ゲノム情報の各診断結果にリンクして設けられ、性別、身長、体重、初回アドバイス、および定期提出データ名のデータ項目を有する。
「初回アドバイス」は、保険契約者に提供される、健康維持をサポートするための必要なアドバイスであり、嗜好、生活習慣、および／または生活環境をどのようにすべきか、どのように変えるべきか等の情報、指示ないし指導を含む。後述する第２回以降のアドバイスについても同様である。
例えば、変異型のβ３アドレナリン受容体遺伝子を有する保険契約者に対するアドバイスとしては、肥満にならないための１日の摂取カロリー量、運動量等が挙げられる。より具体的には、この遺伝子変異を持つ日本人肥満女性では、正常の女性より基礎代謝量が約２００ｋカロリー少ないことが分かっており、この２００ｋカロリーを消費するためには、歩くと２時間、水泳では平泳ぎで２０分を必要とする。したがって、これらの運動を毎日行うアドバイスが挙げられる。
変異型のＡＬＤＨ２遺伝子を有する保険契約者に対するアドバイスとしては、１日の摂取アルコール量（日本酒、ビール、焼酎、ウイスキー等の酒類に対応させた場合の飲酒量）等が挙げられる。また、ＡＬＤＨ２遺伝子の働きが不十分な場合にアルツハイマー病の発症防止には、ビタミンＥ等の抗酸化物質が有効であることが分かってきているので、該遺伝子に変異を持つ保険契約者には、ビタミンＥを多く含む食材をとるようなアドバイスを行うこともできる。また、アルツハイマー型の痴呆症に関して言えば、現在のところ、ＤＨＡ、ＥＰＡの他に野菜や果物をバランス良く摂ることが予防につながることがわかっているため、食生活の改善や有酸素運動の奨励をすることが望ましい。痴呆は遺伝が３割、環境が７割とも言われているため、十分な予防をすれば効果が出やすいのである。
正常型の遺伝子を有する保険契約者に対しても、身長、体重、性別によっては、アドバイスの必要があるので、必要なアドバイスが規定されている。
これらのアドバイスは、性別、身長、および体重に応じて異なるので、性別、身長ｈ、および体重ｗに応じて規定されている。例えば、男性で、身長ｈ＜Ｈ１で、かつ、体重ｗ＜Ｗ１の保険契約者にはアドバイスａ１１が対応し、男性で、身長Ｈ１≦ｈ＜Ｈ２で、体重Ｗ１≦ｗ＜Ｗ２の保険契約者にはアドバイスａ２２が対応する。もっとも、アドバイスの中には、同じ内容のアドバイスが含まれていてもよい。例えば、アドバイスａ１１とアドバイスａ２２が同じ内容のアドバイスであってもよい。
なお、性別、身長、体重等に加えて、または、この一部に代えて年齢別の区分け（例えば２１歳から２５歳、２６歳から３０歳まで等の５歳間隔の区分け）を加え、年齢別にアドバイスを変えることもできる。また、フィットネスクラブの紹介や、人間ドックの紹介等をアドバイスに含めることもできる。
「定期提出データ名」は、保険契約者が、ゲノムサンプルを提供し、初回アドバイスを受けた後に定期的に提出するデータの名称（種類）である。このデータ名には、体重、体脂肪率、血糖値、尿酸値、尿蛋白、１日の摂取カロリー量、γ−ＧＰＴ値、１日の摂取ビタミンＥ量、食欲、睡眠深度（睡眠満足度）、基礎体温等が含まれる。例えば、変異型のβ３アドレナリン受容体遺伝子を有する保険契約者の定期提出データ名としては、体重、血糖値、体脂肪率、１日の摂取カロリー量等が挙げられる。また、変異型のＡＬＤＨ２を有する保険契約者の定期提出データ名としては、γ−ＧＰＴ値、１日の摂取ビタミンＥ量等が挙げられる。
体重、体脂肪率等は、各家庭にある体重計や体脂肪計による測定値を使用することができる。また、γ−ＧＰＴ値等のように、一般に、個人が測定できないものについては、健康診断による測定値等を使用することもできる。
各定期提出データ名には、１つの提出データ名のみ（例えば体脂肪率のみ）が含まれる場合もあるし、複数のデータ名（例えば体重、体脂肪率、および血糖値の３つのデータ名）が含まれる場合もある。
定期提出データの検査回数は、１日に１回〜数回、１週間に１回、１ヵ月に１回、１年に１回等であり、また、その提出間隔は、１ヵ月、半年、１年等であり、これらはデータごとに異なってもよい。これら検査回数および提出期間は、定期提出データ名に含まれている。
サーバ４は、この初回アドバイス情報テーブルの中から、保険契約者Ａ１のゲノム情報、ならびに契約者リストに含まれる性別、身長、および体重に対応する初回アドバイスおよび定期提出データ名を選択する。例えば、契約者Ａ１の性別が男性であり、身長がＨ１≦ｈ＜Ｈ２の範囲に含まれ、体重がＷ１≦ｗ＜Ｗ２の範囲に含まれるならば、アドバイスａ２２および定期提出データ名ｂ２２が選択される。
図２を再び参照して、サーバ４は、選択した初回アドバイスおよび定期提出データ名を、ゲノム情報および個人識別情報と共に生命保険会社Ｂのサーバ２に通信ネットワーク７を介して送信する。
サーバ２は、保険契約者Ａ１の個人識別情報、ゲノム情報、初回アドバイス、および定期提出データ名を受信すると、個人識別情報に基づいて、契約者リストの中から保険契約者Ａ１のリストを特定する。続いて、サーバ２は、保険契約者Ａ１のリストにリンクされた健康情報に、受信した保険契約者Ａ１のゲノム情報、初回アドバイス、および定期提出データ名を加える（Ｓ３）。また、サーバ２は、受信したゲノム情報、初回アドバイス、および定期提出データ名を、通信ネットワーク７を介して契約者Ａ１の端末１に転送する。
保険契約者Ａ１は、ゲノム情報に基づいて、自己の遺伝子の状態を知ることができ、初回アドバイスに基づいて、今後の健康管理を行うことができる。また、契約者Ａ１は、端末１を使用して、定期提出データ名により指定されたデータ（例えば体重、体脂肪率、血糖値等）を定期的に生命保険会社Ｂのサーバ２に送信する。送信される定期提出データには、個人識別情報が付加される。
サーバ２は、保険契約者Ａ１から送信された定期提出データを受信すると、受信した定期提出データを、個人識別情報、契約者リストの一部の情報（性別、身長、体重等）、およびゲノム情報と共に、ゲノム診断／健康サポート会社Ｃのサーバ４に転送すると共に、ＤＢ３の契約者情報（図３参照）の保険契約者Ａ１の健康情報（第１回提出データ）に定期提出データを登録する（Ｓ４）。
サーバ４は、サーバ２から送信された個人識別情報、契約者リストの一部の情報、ゲノム情報、および定期提出データに基づいて第２回アドバイスを作成する（Ｓ５）。この第２回およびそれ以降のアドバイス（定期アドバイス）は、例えば、図６に示す定期アドバイス情報テーブルに基づいて作成される。
図６に示す定期アドバイス情報テーブルは、定期提出データが体脂肪率の場合の定期アドバイス情報テーブル例である。この定期アドバイス情報テーブルは、前述した図５の初回アドバイス情報テーブルと同様に、ゲノム情報テーブルとリンクしている。
サーバ４は、サーバ２から送信されたゲノム情報に基づいて、ゲノム情報テーブルのリンク先の定期アドバイス情報テーブルを決定し、契約者リストの一部の情報（ここでは性別）および定期提出データである体脂肪率に対応する定期アドバイスを求める。そして、サーバ４は、求めた定期アドバイスを個人識別情報と共にサーバ２に通信ネットワーク７を介して返信する。
１日の摂取カロリー量に対応する適正な運動量を求める計算式が定められている場合には、保険契約者から定期提出データをして１日の摂取カロリー量を提出させ、該計算式により、必要な１日あたりの適正な運動量を求め、該運動量を定期アドバイスとして返信することもできる。
また、日々の体重、体脂肪率、皮下脂肪量、血糖値など糖尿病や肥満などに関わる指数と連携させて必要運動量を具体的な目安、例えば散歩３０分とか水泳２０分などというようにアドバイスすることも可能である。
あるいは、変異型のＡＬＤＨ２を有する保険契約者には、食べた食物中に含まれるビタミンＥが標準より多いかどうかの情報をアドバイスとして返信し、アルツハイマー病の予防に役立てることもできる。
さらに、定期アドバイスは、定期提出データの含まれる複数の血圧値により、血圧の変異を計算し、血圧が上昇傾向にある場合には、塩分を控えることを指示するアドバイスであってもよい。
サーバ２は、サーバ４から返信されたアドバイスを契約者情報（図３参照）の健康情報（第２回アドバイス情報）に登録すると共に、少なくとも第１提出データ（および必要ならば第２回アドバイス情報）に基づいて保険契約者の健康度をチェックする。このチェックとしては、例えば、定期提出データが血糖値の場合に、該血糖値に基づいて、保険契約者の糖尿病のなる可能性のチェックが挙げられる。すなわち、糖尿病の場合、健康人の血糖値と、糖尿病患者として認定される血糖値との間に、潜在患者予備軍と呼ばれる血糖値の領域があり、保険契約者の血糖値や血糖値の推移に基づいて、十分健康か、患者の領域に近づいているかをチェックすることができる。このようなチェック結果が健康度チェック欄に記載される。
なお、健康度チェックは、第１提出データだけでなく、それ以降の第２提出データを加えて総合的に行ってもよいし、ゲノム情報、初回アドバイス情報、および第２回目のアドバイス情報の少なくとも１つを加えて行われてもよい。
生命保険会社Ｂは、この健康度チェックの結果、保険契約者が健康を維持し続けていたり、あるいは、より健康な状態に推移していたりする場合には、保険契約者の保険料を安くする等の処置をとることもできる。
このような定期提出データの提出と、アドバイスの返信、データの登録、健康度のチェック等の処理が、保険契約が続いている間、繰り返される。
続いて、本発明の実施形態の変形例を説明する。変形例においては、図１の構成において、ゲノム診断／健康サポート会社Ｃのデータベース５が、更に、ゲノム情報の遺伝子種別に関連する疾患が対応付けられ格納される疾患テーブルを有しており、アドバイスにおいて、保険契約者のゲノム情報に基づき、該保険契約者が罹る可能性の高い疾患についての情報（可能性疾患情報）が与えられるものである。
図７は、ゲノム診断／健康サポート会社Ｃのデータベース５に格納される疾患テーブルのデータ構成例である。図７のテーブルによって、保険契約者のゲノム情報に含まれる「遺伝子種別」に応じて、罹る可能性の高い疾患が「罹患可能性の高い疾患」として対応付けられており、さらに、２回目以降のアドバイスにて必要な、保険契約者に定期的に提出してもらうための「データの種類」が、各「罹患可能性の高い疾患」に対応付けられている。
図７によれば、例えば、“β３アドレナリン受容体  変異型／変異型“を有する保険契約者は、肥満・糖尿病を予防するためのアドバイスあるいはサポート情報が得られ、その際、身長、体重、総コレステロール値、中性脂肪値、体脂肪率（ＢＭＩ）、血糖値、摂取カロリー数、運動量等を定期的に提出することが求められることになる。図７において、肥満・糖尿病に関連する遺伝子種別としては、他に、”脂肪代謝関連遺伝子Ａ  変異型／変異型”、”脂肪代謝関連遺伝子Ｂ  正常型／変異型”が挙げられている。これらのいずれかを持つ場合、肥満・糖尿病に関するアドバイスが行われる。また、１つの遺伝子種別が、複数の疾患に関係する場合、その遺伝子種別を有する保険契約者は、複数の疾患を予防するためのアドバイスが与えられる。
なお、疾患テーブルは、ゲノム診断／健康サポート会社Ｃのデータベース５において、初回アドバイス情報テーブル（図５参照）に組み込むことも可能である。例えば、β３アドレナリン受容体遺伝子に関連する図５のアドバイス（ａ１１、ａ１２…）に共通に含まれる情報として、「肥満・糖尿病への移行確率が高いようです」といった情報や、肥満・糖尿病に関する一般的な説明を含めることが可能である。また、β３アドレナリン受容体遺伝子に関連する図５の定期提出データ名（ｂ１１、ｂ１２…）に共通に、図７にて“β３アドレナリン受容体”を含む疾患に対応する「データの種類」にあるように、身長、体重、総コレステロール値、中性脂肪値、体脂肪率（ＢＭＩ）、血糖値、摂取カロリー数、運動量等を含めることが可能である。以上のようにすることで、図７の情報を、初回アドバイス情報テーブルに組み込める。初回アドバイス情報テーブルに組み込めば、記憶容量の削減、データベース管理の簡素化といったメリットがある。
図８は、本変形例における処理の流れを説明するフローチャートである。まず、サーバ４に対し、ゲノム情報が入力される（Ｓ８１）。ここでは、一例として、“β３アドレナリン受容体  変異型／変異型”、“脂肪代謝関連遺伝子Ａ  変異型／変異型”を少なくとも含むものとする。ステップＳ８１における、サーバ４へのゲノム情報の入力は、保険契約者の提供したゲノムサンプルの解析結果としてゲノム診断会社Ｄの端末６から入力され、通信ネットワーク７を介してサーバ４が受信する場合や、ＩＣカード等に格納されたゲノム情報をＩＣカードリーダにより読み出し、保険契約者Ａ１の端末１あるいは生命保険会社Ｂのサーバ２から通信ネットワーク７を介してサーバ４が受信する場合などがある。
次に、サーバ４は、疾患テーブルを参照し、入力されたゲノム情報に基づき、その保険契約者が罹る可能性の高い疾患を特定すると共に、特定された疾患に基づき初回アドバイスを作成する（Ｓ８２）。ステップＳ８１で入力されたゲノム情報の例の場合、まず“β３アドレナリン受容体  変異型／変異型”で疾患テーブルの「遺伝子種別」を検索する。すると、「罹患可能性の高い疾患」の“肥満・糖尿病“がヒットする。“脂肪代謝関連遺伝子Ａ  変異型／変異型”についても同様に検索を行うと、やはり「罹患可能性の高い疾患」の“肥満・糖尿病“がヒットする。そこで、この疾患についてのアドバイス、サポート情報を生成する。
図８の初回アドバイス９０は、ステップＳ８２で生成されるアドバイスの例である。まず、保険契約者が罹りやすいと思われる疾患に関する可能性疾患情報９１が提供される。図８では、ただ疾患の名前が提供されるのみだが、実際には、その疾患に関する詳細情報、一般的な予防策等を提供することも可能である。
アドバイスでは、可能性疾患情報９１に加えて、アドバイス内容９２が提供される。アドバイス内容９２には、２回目以降のアドバイスに必要なデータの種類が表示され、保険契約者に定期的な提出を促す内容になっている。必要なデータの種類は、ステップＳ８２でヒットした“肥満・糖尿病“に対応する図７の「データの種類」に格納されている。
ステップＳ８２で生成された初回アドバイスは、端末１に送信され、端末１に表示される（Ｓ８３）。こうして、保険契約者Ａ１は、初回アドバイスを確認することができる。そして、自分がどんな疾患にかかりやすい傾向にあるのか、今後の改善点、定期的に提出するデータの種類について把握する。
保険契約者は、定期的にステップＳ８３で確認したデータの種類に対応するデータを端末１からサーバ４に送信する（Ｓ８４）。サーバ４は、定期アドバイス情報テーブル（図６参照）を参照し、２回目のアドバイスを生成する（Ｓ８５）。定期アドバイス情報テーブルには、図６に示されるように、データの種類（例えば、図６でいうと体脂肪率）の値が属する区分に応じて、対応する定期アドバイスが遺伝子種別、型、性別等の項目毎に格納されており、これを利用して、サーバ４は、ステップＳ８４で送信されたデータを解析し、各データの種類に対応するデータが属する値の区分に応じた定期アドバイスを提供する。
図８の第２回アドバイス９３は、ステップＳ８５で生成されるアドバイスの例である。第２回アドバイスでは、アドバイス内容９４が主に提供され、改善点（ＧＯＯＤ！）、更に改善を要する点（ＴＲＹ  ＭＯＲＥ！）、今後の方針（ＡＤＶＩＣＥ）が提供される。
ステップＳ８５で生成された第２回アドバイスは、端末１に送信され、端末１に表示される（Ｓ８６）。ステップＳ８４〜Ｓ８６の処理が継続して繰り返され、保険契約者の健康に関するアドバイスが継続して行われる。
このように本実施の形態によると、サーバ４および２（ゲノム診断／健康サポート会社Ｃおよび生命保険会社Ｂ）は、保険契約者Ａ１のゲノム情報に基づいて作成された健康情報を保険契約者Ａ１にフィードバックすることにより、契約者Ａ１の健康または健康維持をサポートできる。また、保険契約者Ａ１は、該情報に基づいて健康の維持／増進を図ることができる。これにより、保険契約者Ａ１が健康であり続けることができるという利益を得ることができると共に、例えば将来的に保険料が安くなる等、というメリットも含まれ、健康保険会社Ｂは、契約者に支払う保険金を削減できるという利益があり、契約者を受け入れることができる。また、受け取り保険金を逓増させること等ができることにより、契約者が一層のメリットを享受できる。さらに、医療保険機関も、契約者が罹患したならば支出されたであろう医療費を削減できる。
なお、生命保険会社Ｂとゲノム診断／健康サポート会社Ｃとは、同じ会社であってもよい。この場合には、サーバ２とサーバ４とは同一のサーバにより構成されてもよいし、個別のサーバとして構成されてよく、また、ＤＢ３および５も、同一のＤＢとして構築されてもよいし、個別のＤＢとして構成されてもよい。
また、ゲノム診断／健康サポート会社Ｃは、ゲノム診断会社Ｄを兼用してもよい。
さらに、サーバ２は、保険契約者の保険料の計算、課金、ゲノム特約の課金、提携会社であるゲノム診断／健康サポート会社Ｃおよびゲノム診断会社Ｄへの支払いの計算等を行ってもよい。
加えて、保険会社Ｂのゲノム特約を介することなく、ゲノム診断／健康サポート会社Ｃと契約者Ａ１との間で健康情報提供サービスが契約され、ゲノム診断／健康サポート会社Ｃから契約者Ａ１に健康情報提供サービスを提供することもできる。
【産業上の利用可能性】  本発明によると、ゲノム情報に基づく第１健康情報および／または第２健康情報により、契約者の嗜好、生活習慣、および／または生活環境に関するアドバイスを提供することにより、契約者の健康または健康維持をサポートすることできる。
また、ゲノム情報により、ある特定の疾患にかかりやすいと判定された場合には、疾患に罹りにくくする健康情報を提供し、生活指導を行うことにより、健康の維持をサポートすることができる。さらに、各契約者のゲノム情報に基づいて、各契約者に適した健康情報を提供できるので、各契約者の罹患率を下げさせ、契約者が健康であることおよび医療費に負担軽減による利益のみならず、医療保険機関が支払っていたであろう医療費を軽減することもできる。
さらに、運営機関（例えば生命保険機関ないし生命保険会社）が提供する生命保険等の特約として健康情報提供サービスを提供することによって、契約者の健康維持が図られる結果、契約者に支払われる保険金が削減され、運営機関の利益にもなる。
本発明の保護範囲は、上記の実施の形態に限定されず、特許請求の範囲に記載された発明とその均等物に及ぶものである。
【図１】
2004086274.tif 000003
【図２】
2004086274.tif 000004
【図３】
2004086274.tif 000005
【図４】
2004086274.tif 000006
【図５】
2004086274.tif 000007
【図６】
2004086274.tif 000008
【図７】
2004086274.tif 000009
【図８】
2004086274.tif 000010
【国際調査報告】
2004086274.tif 000011
2004086274.tif 000012
2004086274.tif 000013
2004086274.tif 000014